(57)【要約】【課題】一体成形可能で送風効率を向上することのできるターボファン及びそれを用いた空気調整装置を提供する。【解決手段】回転自在に軸支可能なベース板３５と、ベース板３５上の周部に放射状に立設される複数のブレード３２とを備え、回転によりベース板３５の対向側の軸方向から吸気して周方向に排気するターボファン３０において、ブレード３２の上面を開放するとともに、ブレード３２の周面の一部を覆う円筒状の遮蔽カバー３４を設けた。【選択図】      図２
2004169672.tif 000002
【特許請求の範囲】
【請求項１】
回転自在に軸支可能なベース板と、前記ベース板上の周部に放射状に立設される複数のブレードとを備え、回転により前記ベース板の対向側から軸方向に吸気して周方向に排気するターボファンにおいて、前記ブレードの上面を開放するとともに、前記ブレードの周面の一部を覆う筒状の遮蔽カバーを設けたことを特徴とするターボファン。
【請求項２】
前記遮蔽カバーを前記ブレードの上部に設けたことを特徴とする請求項１に記載のターボファン。
【請求項３】
前記遮蔽カバーの軸方向の長さを前記ブレードの高さの１／４〜１／２にしたことを特徴とする請求項１に記載のターボファン。
【請求項４】
前記ブレードの中心側の側面を斜面にしたことを特徴とする請求項１または請求項２に記載のターボファン。
【請求項５】
回転自在に軸支可能なベース板と、前記ベース板上の周部に放射状に立設される複数のブレードとを有し、回転により前記ベース板の対向側から軸方向に吸気して周方向に排気するターボファンを備えた空気調和機において、前記ブレードの上面を開放するとともに、前記ブレードの周面の一部を覆う筒状の遮蔽カバーを設けたことを特徴とする空気調整装置。
【発明の詳細な説明】
【０００１】
【発明の属する技術分野】
本発明は、回転により吸排気を行うターボファン及びそれを用いた空気調和機、除湿機、加湿器、空気清浄機、電気ファンヒータ等の空気調整装置に関する。
【０００２】
【従来の技術】
空気調和機等に用いられる従来のターボファンは特許文献１に開示されている。図４、図５はこのターボファンを示す平面図及び正面図である。ターボファン１は円板状のベース板２上の周部に複数のブレード４が放射状に立設され、ブレード４の上面を覆う側板３により各ブレード４が連結支持されている。
【０００３】
側板３は中央部を開口した吸気口３ａが設けられている。ターボファン１が上面から見て時計回りに回転すると、各ブレード４間の空気が外周方向に導かれる。このため、吸気口３ａから空気を取り込んで周方向に排気できるようになっている。
【０００４】
上記のターボファンはベース板２と側板３とによってブレード４を保持するため部品点数が多くなる。このため、特許文献２には吸気口３ａの径よりもベース板２の外径を小さくすることによってベース板２、側板３及びブレード４を一体成形できるターボファンが開示されている。
【０００５】
【特許文献１】
特開平１１−１０１１９９号公報（第２頁−第３頁、第１図）
【特許文献２】
特開２０００−１５６１２８号公報（第４頁−第５頁、第５図）
【０００６】
【発明が解決しようとする課題】
しかしながら、上記特許文献２に開示されたターボファンによると、ブレード４の内周部が金型の上型により形成され、外周部が下型により形成される。このため、上型と下型との位置合せ誤差によって所定の曲率で成形されるブレード４の表面に段差が生じ、送風時に乱流が発生して所望の送風効率を得ることができない問題があった。
【０００７】
本発明は、一体成形可能で送風効率を向上することのできるターボファン及びそれを用いた空気調整装置を提供することを目的とする。
【０００８】
【課題を解決するための手段】
上記目的を達成するために本発明は、回転自在に軸支可能なベース板と、前記ベース板上の周部に放射状に立設される複数のブレードとを備え、回転により前記ベース板の対向側から軸方向に吸気して周方向に排気するターボファンにおいて、前記ブレードの上面を開放するとともに、前記ブレードの周面の一部を覆う筒状の遮蔽カバーを設けたことを特徴としている。
【０００９】
この構成によると、ターボファンの回転によってブレード間の空気が外周方向に導かれ、ブレードの上方から吸気して周方向に排気される。ブレードは上面が開放されているため成形金型の一方により形成され、開放によって生じる騒音が遮蔽カバーによって遮音される。
【００１０】
遮蔽カバーをブレードの上部に設けると周方向に送出される空気の上部への回り込みが低減される。また、遮蔽カバーの軸方向の長さをブレードの高さの１／４〜１／２にすると遮音効果を向上させることができる。
【００１１】
【発明の実施の形態】
以下に本発明の実施形態を図面を参照して説明する。図１、図２は一実施形態のターボファンを示す平面図及び正面図である。ターボファン３０は円板状のベース板３５を有し、ベース板３５の中央部にはモータ軸が嵌入される軸孔３１ａを形成したハブ３１が突設されている。
【００１２】
ベース板３５上の周部には複数のブレード３２が放射状に立設されている。ブレード３２は中心側の側面３２ａが斜面から成っており、上方から空気を容易に取入れることができるようになっている。また、ブレード３２の周方向に面した側面３２ｂ、３２ｃは所望の送風効率を得ることのできるように所定の曲率で形成されている。
【００１３】
各ブレード３２の上端は周面を覆うリブ３３及び遮蔽カバー３４により連結支持されている。リブ３３及び遮蔽カバー３４の内径（即ち、ブレード３２の外径）はベース板３５の外径よりも大きくなっている。
【００１４】
ターボファン３０が上面から見て時計回りに回転すると、各ブレード３２間の空気が外周方向に導かれる。このため、矢印Ａ１に示すようにブレード３２の上方の空間から空気を取り込んで、矢印Ａ２に示すように周方向に排気できるようになっている。尚、遮蔽カバー３４をブレード３２の上部に設けているので、矢印Ａ２方向の排気が上方に回り込みにくくなり、ショートサーキットを低減することができるようになっている。
【００１５】
図３はターボファン３０のブレード３２を通る断面の概略図を示している。ブレード３２の上方が開放され、ブレード３２の周面をリブ３３及び遮蔽カバー３４により連結するので、リブ３３、遮蔽カバー３４、ブレード３２及びベース板３５を一体に成形することができる。
【００１６】
即ち、一点鎖線Ｃで分割して上型Ｂ１によりリブ３３、ブレード３２、ハブ３１を形成し、下型Ｂ２によりベース板３５、遮蔽カバー３４を形成することができる。従って、ブレード３２の側面３２ｂ、３２ｃの表面に段差が生じることなく、乱流を防止して送風効率の低下を防止することができる。リブ３３と遮蔽カバー３４を同じ外径にして遮蔽カバー３４を上型Ｂ１により形成してもよい。
【００１７】
また、遮蔽カバー３４はブレード３２の上面を開放したことによる騒音の遮音壁として設けられている。表１、表２は遮蔽カバー３４の軸方向の長さｄ（図２参照）を可変した時の送風量（単位：ｍ３／ｍｉｎ）及び騒音を示すＮｚ値（単位：ｄＢ）を示している。ターボファン３０の直径は８８ｍｍ、高さは４５ｍｍであり、リブ３３、ベース板３５の厚みはそれぞれ３ｍｍ、２ｍｍである。また、表２中の周波数は騒音のピークの周波数を示している。
【００１８】
【表１】
2004169672.tif 000003
【表２】
2004169672.tif 000004
【００１９】
これらの表によると、ターボファン３０を駆動するモータの印加電圧が９０Ｖ、１００Ｖ、１１０Ｖの場合に、それぞれ遮蔽カバー３４の長さｄを０ｍｍ、１０ｍｍ、２０ｍｍに可変しても送風量は殆ど変化しない。一方、遮蔽カバー３４を設けない場合（ｄ＝０ｍｍ）は２７５Ｈｚ〜３００Ｈｚの低周波数のＮｚ値が大きいが、遮蔽カバー３４を設けた場合にはＮｚ値が低くなっている。
【００２０】
従って、遮蔽カバー３４を設けることによって、送風量を低下させることなく騒音を低減することができる。ブレード３２の高さが４０ｍｍであるので、表１、表２より、遮蔽カバー３４の長さｄがブレード３２の高さの１／４〜１／２であれば、充分な送風量を有した低騒音のターボファン３０を実現することができる。
【００２１】
尚、本実施形態のターボファン３０を空気調和機、除湿機、加湿器、空気清浄機、電気ファンヒータ等の空気調整装置に設けることによって、低騒音で送風効率を向上した空気調整装置を実現することができる。
【００２２】
【発明の効果】
本発明によると、ブレードの上方が開放され、ブレードの周囲を遮蔽カバーにより連結するので、遮蔽カバー、ブレード、ベース板を一体に成形するとともに、ブレードを一方の金型により成形することができる。従って、ブレードの表面に段差が生じることなく乱流を防止して送風効率の低下を防止することができる。また、遮蔽カバーを設けることによって、送風量を低下させることなく騒音を低減することができる。
【図面の簡単な説明】
【図１】は、本発明の実施形態のターボファンを示す平面図である。
【図２】は、本発明の実施形態のターボファンを示す正面図である。
【図３】は、本発明の実施形態のターボファンを示す断面図である。
【図４】は、従来のターボファンを示す平面図である。
【図５】は、従来のターボファンを示す正面図である。
【符号の説明】
１、３０  ターボファン
２    側板
３、３５  ベース板
４、３２  ブレード
３１    ハブ
３３    リブ
３４    遮蔽カバー
【図１】
2004169672.tif 000005
【図２】
2004169672.tif 000006
【図３】
2004169672.tif 000007
【図４】
2004169672.tif 000008
【図５】
2004169672.tif 000009